(57)【要約】【課題】複数の照明装置で照明する照明エリアの照度および照度均斉度を維持することができる照明システムを提供する。【解決手段】照明システム10は、複数の照明装置12、画像センサ13および調光装置14を備える。複数の照明装置12は、調光信号を受信して光出力を制御する。画像センサ13は、複数の照明装置12で照明する照明エリア11を撮影する。調光装置14は、画像センサ13で撮像される画像データを取得し、画像データに基づいて照明エリア11が所定の照度分布となる照明装置12毎の調光率を求め、求めた照明装置12毎の調光率の調光信号を照明装置12に送信する。【選択図】図１
2016181430.tif 000002
【特許請求の範囲】
【請求項１】
調光信号を受信して光出力を制御する複数の照明装置と；
前記複数の照明装置で照明する照明エリアを撮影する画像センサと；
前記画像センサで撮像される画像データを取得し、この画像データに基づいて前記照明エリアが所定の照度分布となる前記照明装置毎の調光率を求め、この求めた前記照明装置毎の調光率の調光信号を前記照明装置に送信する調光装置と；
を具備することを特徴とする照明システム。
【発明の詳細な説明】
【技術分野】
【０００１】
本発明の実施形態は、複数の照明装置で照明エリアを照明する照明システムに関する。
【背景技術】
【０００２】
従来、例えば競技場では投光器などの複数の照明装置を使用し、複数の照明装置によって競技エリアを照明している。また、競技用照明では、省エネルギーの観点からＬＥＤを光源とした照明装置が増えてきている。
【０００３】
このような競技用照明では、競技エリア内の照度と照度均斉度がＪＩＳ Ｚ ９１１０等で既定されている。例えばサッカー場であれば、公式競技で平均照度５００ｌｘ、均斉度（最小／平均）０．５と規定されている。
【０００４】
しかしながら、照明装置は、周囲温度や光源の劣化、および光学系の汚れなどにより明るさが変わる要因がある。例えばＬＥＤモジュールには温度特性があり、周囲温度が高いときには暗くなり、低いときには明るくなるという性質を持つ。また、屋内にて投光器を使用した場合、設置位置や時間帯によってそれぞれの器具の周囲温度が異なるために、結果的に初期に設計した競技エリアの照度、および照度均斉度を維持できなくなることがある。
【先行技術文献】
【特許文献】
【０００５】
【特許文献１】特開２０１４−８６１５９号公報
【発明の概要】
【発明が解決しようとする課題】
【０００６】
本発明が解決しようとする課題は、複数の照明装置で照明する照明エリアの照度および照度均斉度を維持することができる照明システムを提供することである。
【課題を解決するための手段】
【０００７】
実施形態の照明システムは、複数の照明装置、画像センサおよび調光装置を備える。複数の照明装置は、調光信号を受信して光出力を制御する。画像センサは、複数の照明装置で照明する照明エリアを撮影する。調光装置は、画像センサで撮像される画像データを取得し、画像データに基づいて照明エリアが所定の照度分布となる照明装置毎の調光率を求め、求めた照明装置毎の調光率の調光信号を照明装置に送信する。
【発明の効果】
【０００８】
本発明によれば、複数の照明装置で照明する照明エリアの照度および照度均斉度を維持することが期待できる。
【図面の簡単な説明】
【０００９】
【図１】一実施形態を示す照明システムの説明図である。
【図２】同上照明システムの照明装置の斜視図である。
【図３】同上照明システムによって照明する照明エリアの照度分布の一例を示す照度分布図である。
【発明を実施するための形態】
【００１０】
以下、一実施形態を、図１ないし図３を参照して説明する。
【００１１】
図１に示すように、照明システム10は、例えば競技場の競技エリア（例えばサッカーを行うグランドエリア）などの所定の照明エリア11を照明する複数の照明装置12、照明エリア11を撮影する画像センサ13、および画像センサ13からの画像データに基づいて複数の照明装置12の光出力を制御する調光装置14を備えている。
【００１２】
調光装置14に、複数の照明装置12が通信線15によって通信可能に接続されているとともに、画像センサ13が通信線16によって通信可能に接続されている。調光装置14と複数の照明装置12との間の通信には、例えば、ＤＭＸ規格に従った通信プロトコルで、このＤＭＸの拡張機能であるＲＤＭ（Remote Device Management）規格に従った通信方式によって双方向通信可能に構成してもよい。
【００１３】
そして、図２に示すように、照明装置12は、投光器である。照明装置12は、本体21と、電源ユニット22と、これら本体21および電源ユニット22を設置するための設置台23とを備えている。
【００１４】
本体21は、前面が開口するケース26およびケース26の前面を閉塞する透光カバー27を有している。本体21の内部には、複数の光源28が配置されているとともに。光源28毎に光源28からの光を集光して配光を制御する反射体29がそれぞれ配設されている。
【００１５】
光源28は、ＬＥＤ等の発光素子31を用いている。光源28は、白色系の光を発生する光源28を主体とするが、色再現性の向上のために、赤色系の光や青緑色の光を発生する光源28を組み合わせてもよい。
【００１６】
また、電源ユニット22は、各光源28に電力を供給し、各光源28を点灯させる電源部33、およびこの電源部33を制御する制御部34を備えている。制御部34は、照明装置12毎に固有のアドレスを有し、調光装置14から通信線15によって送信されてくる調光信号のうち、自己のアドレスに関連付けられた調光信号を受信して電源部33を調光制御し、照明装置12の光出力を制御する。
【００１７】
そして、照明装置12は、競技場に立設される支柱の上部や競技場の屋根等に複数設置され、照明エリア11に光を照射する。
【００１８】
また、画像センサ13は、例えばＣＣＤやＣＭＯＳセンサで構成されており、照明エリア11全体を撮影し、撮影した画像データを通信線16によって調光装置14に送信する。
【００１９】
また、調光装置14は、画像センサ13で撮像される画像データを取得し、この画像データに基づいて照明エリア11が所定の照度分布となる照明装置12毎の調光率を求め、この求めた照明装置12毎の調光率の調光信号を各照明装置12に送信する。
【００２０】
調光装置14では、各照明装置12の配置や、照明エリア11における各照明装置12の照射エリアなど、各照明装置12のデータが予め登録されている。
【００２１】
調光装置14は、例えば図３に示すように、取得した画像データから照明エリア11の照度分布を求め、この照度分布に基づき照度最適化アルゴリズムに従って照明装置12毎の調光率を求める。照度最適化アルゴリズムでは、取得した画像データの照度分布と既定の照度および照度均斉度とを比較し、差異がある場合には照明エリア11の照度および照度均斉度が最適となるように、照明装置12毎に調光率を求める。
【００２２】
調光装置14から各照明装置12に調光信号を送信する場合には、各照明装置12のアドレスを関連付けた調光信号を通信線15で送信する。
【００２３】
次に、本実施形態の作用を説明する。
【００２４】
照明システム10では、調光装置14の制御により、複数の照明装置12を所定の調光率でそれぞれ点灯させ、照明エリア11を照明する。
【００２５】
画像センサ13で照明エリア11を撮影し、この画像データを調光装置14が取得する。
【００２６】
調光装置14は、例えば図３に示すように、取得した画像データの照度分布と既定の照度および照度均斉度とを比較し、差異がある場合には照明エリア11の照度および照度均斉度が最適となるような照明装置12毎に調光率を求める。
【００２７】
例えば、競技用照明では、競技エリア内の照度と照度均斉度がＪＩＳ Ｚ ９１１０等で既定されており、サッカー場であれば公式競技で平均照度５００ｌｘ、均斉度（最小／平均）０．５と規定されている。そこで、取得した画像データの照度分布に基づいて、規定された照度および照度均斉度に最適化されるように、照明装置12毎に調光率を求める。
【００２８】
求めた照明装置12毎に調光率の調光信号を調光装置14から照明装置12に送信する。
【００２９】
各照明装置12では、自己のアドレスに関連付けられた調光信号を受信し、調光信号の調光率に光出力を制御する。
【００３０】
ところで、照明装置12の周囲温度や光源の劣化、および光学系の汚れなどにより明るさが変わる要因がある。例えば発光素子31のＬＥＤには温度特性があり、周囲温度が高いときには暗くなり、低いときには明るくなるという性質を持つ。また、ドーム等の屋内に照明装置12を設置している場合、設置位置や時間帯によってそれぞれの照明装置12の周囲温度が異なるために、結果的に初期に設計した照明エリア11の照度、および照度均斉度を維持できなくなることがある。
【００３１】
本実施形態の照明システムでは、調光装置14により、照明エリア11を撮影する画像センサ13の画像データを取得し、この画像データに基づいて照明エリア11が所定の照度分布となる照明装置12毎の調光率を求め、この求めた照明装置12毎の調光率の調光信号を各照明装置12に送信するため、複数の照明装置12で照明する照明エリア11の照度および照度均斉度を維持することができる。
【００３２】
なお、照明装置12毎あるいは照明装置12の設置領域に温度センサを設け、この温度センサで検出する温度データについても調光装置14が取得し、照明装置14の光源28の寿命も考慮しながら、総合的に照明装置12毎の調光率を求めるようにしてもよい。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
10    照明システム
11    照明エリア
12    照明装置
13    画像センサ
14    調光装置
【図１】
2016181430.tif 000003
【図２】
2016181430.tif 000004
【図３】
2016181430.tif 000005